(57)【要約】【課題】所望の分類の周辺施設を、簡単な操作で地図上に表示させることができる。【解決手段】地図４１を表示すると共に、地図４１に重畳して、地図４１の表示エリアにおける周辺情報を表示するカーナビゲーション装置であって、地図４１を表示する地図表示画面Ｇ１および、周辺情報の分類毎の「表示」／「非表示」を選択するためのランチャー画面Ｇ２を同時に表示する画面表示手段３３と、画面表示手段３３を制御して、「表示」が選択された分類の周辺情報を、地図表示画面Ｇ１上の地図４１に重畳して表示させる表示制御手段３６と、を備えた。【選択図】図４
2016024112.tif 000002
【特許請求の範囲】
【請求項１】
地図を表示すると共に、前記地図に重畳して、前記地図の表示エリアにおける周辺情報を表示する誘導装置であって、
前記地図を表示する地図表示画面および、前記周辺情報の分類毎の「表示」／「非表示」を選択するための表示選択画面を同時に表示する画面表示手段と、
前記画面表示手段を制御して、「表示」が選択された分類の前記周辺情報を、前記地図表示画面上の前記地図に重畳して表示させる表示制御手段と、を備えたことを特徴とする誘導装置。
【請求項２】
前記表示選択画面には、前記各分類を示すと共に、「表示」／「非表示」を切り替える複数の表示切替ボタンが配置されていることを特徴とする請求項１に記載の誘導装置。
【請求項３】
現在日時を取得する日時取得手段を、更に備え、
前記表示制御手段は、取得した前記現在日時に合わせた前記周辺情報を表示させることを特徴とする請求項１または２に記載の誘導装置。
【請求項４】
ユーザーが、前記表示選択画面の「表示」／「非表示」を設定するための画面表示設定手段を、更に備え、
前記表示制御手段は、前記画面表示設定手段による設定に従って、前記表示選択画面の表示／非表示を制御することを特徴とする請求項１ないし３のいずれか１項に記載の誘導装置。
【請求項５】
前記周辺情報は、自車位置を中心とした一定の距離範囲内のエリアの情報であることを特徴とする請求項１ないし４のいずれか１項に記載の誘導装置。
【請求項６】
表示部を有し、地図を表示すると共に前記地図に重畳して前記地図の表示エリアにおける周辺情報を表示する誘導装置の制御方法であって、
前記誘導装置が、
前記表示部に、前記地図を表示する地図表示画面および、前記周辺情報の分類毎の「表示」／「非表示」を選択するための表示選択画面を同時に表示させ、且つ「表示」が選択された分類の前記周辺情報を、前記地図表示画面上の前記地図に重畳して表示させることを特徴とする誘導装置の制御方法。
【請求項７】
コンピューターに、請求項６に記載の誘導装置の制御方法を実行させるためのプログラム。
【発明の詳細な説明】
【技術分野】
【０００１】
本発明は、地図を表示すると共に、当該地図上に周辺情報を表示する誘導装置、誘導装置の制御方法およびプログラムに関するものである。
【背景技術】
【０００２】
従来、この種の誘導装置（ナビゲーション装置）として、基準点（自車位置や地図中心位置）から一定の距離範囲内にある施設を周辺施設として検索し、検索した周辺施設を、表示用の地図に表示する周辺施設処理機能部を、備えたものが知られている（特許文献１参照）。この周辺施設処理機能部は、ユーザーからの周辺施設の検索要求を受け付ける検索要求受付部と、当該検索要求に従って、周辺施設の検索を行う周辺施設検索部と、表示用の地図上に、検索した周辺施設を表示する周辺施設表示部と、を有している。検索要求受付部は、表示画面上に表示された「周辺」のボタンの押下を検出することで、周辺施設の検索要求を受け付けると共に、周辺施設として検索される施設のジャンルの選択を受け付ける。
【先行技術文献】
【特許文献】
【０００３】
【特許文献１】特開２０１０−６６１９３号公報
【発明の概要】
【発明が解決しようとする課題】
【０００４】
しかしながら、上記従来の誘導装置は、ユーザーが、まず、「周辺」のボタンを押し、次に、「周辺」のボタンの押下に起因して表示された周辺施設検索画面で、１のジャンルを選択する（ジャンルのボタンを押下）ことで、周辺施設が表示される構成となっている。そのため、周辺施設が表示されるまでの操作が煩雑であるという問題があった。また、上記従来の誘導装置では、別の条件（別ジャンル）で周辺施設を表示し直そうとしたとき、「周辺」のボタンの押下からやり直す必要があった。このように、操作が著しく煩雑になっていた。
【０００５】
本発明は、所望の分類の周辺施設を、簡単な操作で地図上に表示させることができる誘導装置、誘導装置の制御方法およびプログラムを提供することを課題としている。
【課題を解決するための手段】
【０００６】
本発明の誘導装置は、地図を表示すると共に、地図に重畳して、地図の表示エリアにおける周辺情報を表示する誘導装置であって、地図を表示する地図表示画面および、周辺情報の分類毎の「表示」／「非表示」を選択するための表示選択画面を同時に表示する画面表示手段と、画面表示手段を制御して、「表示」が選択された分類の周辺情報を、地図表示画面上の地図に重畳して表示させる表示制御手段と、を備えたことを特徴とする。
【０００７】
この場合、表示選択画面には、各分類を示すと共に、「表示」／「非表示」を切り替える複数の表示切替ボタンが配置されていることが好ましい。
【０００８】
一方、現在日時を取得する日時取得手段を、更に備え、表示制御手段は、取得した現在日時に合わせた周辺情報を表示させることが好ましい。
【０００９】
また、ユーザーが、表示選択画面の「表示」／「非表示」を設定するための画面表示設定手段を、更に備え、表示制御手段は、画面表示設定手段による設定に従って、表示選択画面の表示／非表示を制御することが好ましい。
【００１０】
さらに、周辺情報は、自車位置を中心とした一定の距離範囲内のエリアの情報であることが好ましい。
【００１１】
本発明の誘導装置の制御方法は、表示部を有し、地図を表示すると共に地図に重畳して地図の表示エリアにおける周辺情報を表示する誘導装置の制御方法であって、誘導装置が、表示部に、地図を表示する地図表示画面および、周辺情報の分類毎の「表示」／「非表示」を選択するための表示選択画面を同時に表示させ、且つ「表示」が選択された分類の周辺情報を、地図表示画面上の地図に重畳して表示させることを特徴とする。
【００１２】
本発明のプログラムは、コンピューターに、上記の誘導装置の制御方法を実行させることを特徴とする。
【図面の簡単な説明】
【００１３】
【図１】本実施形態の一実施形態に係るカーナビゲーションシステムの制御ブロック図である。
【図２】カーナビゲーションシステムの機能ブロック図である。
【図３】ナビゲーション画面を示した図である。
【図４】ナビゲーション画面における周辺情報の表示切替時の遷移例を示した図である。
【図５】周辺情報の表示切替動作を示したフローチャートである。
【発明を実施するための形態】
【００１４】
以下、添付の図面を参照しながら、本発明の一実施形態に係る誘導装置、誘導装置の制御方法およびプログラムについて説明する。本実施形態では、本発明の誘導装置を適用したカーナビゲーション装置およびこれを備えたカーナビゲーションシステムを例示する。このカーナビゲーションシステムは、地図と、ユーザー（の車両）を目的地に誘導する経路案内画像とを表示して、ユーザーを目的地に誘導するものである。特に、本カーナビゲーションシステムは、地図上に周辺情報を表示する機能を有し、当該機能に係り、所望の分類の周辺情報を簡単な操作で表示することができるユーザーインターフェースを搭載したものである。
【００１５】
図１に示すように、カーナビゲーションシステムＳＹは、カーナビゲーション機能を有するカーナビゲーション装置（誘導装置）１と、インターネット等のネットワークＮＷを介してカーナビゲーション装置１に接続された情報提供サーバー２と、を備えている。カーナビゲーション装置１は、車両に搭載されており、ユーザー（運転手等）に対し、上記地図４１および経路案内画像４２を提示する車載装置である。一方、情報提供サーバー２は、ネットワークＮＷを介して、カーナビゲーション装置１に周辺情報（詳細は後述する）を提供するコンピューターである。なお、カーナビゲーション装置１は、車両に固定して設けられた車載固定型のものであっても良いし、車両に着脱自在に取り付けられたポータブル型のものであっても良い。
【００１６】
カーナビゲーション装置１は、ＧＰＳ（Global  Positioning  System）受信機１１と、アンテナ１２と、自立航法センサー１３と、ディスプレイ（表示部）１４と、タッチパネル１５と、通信部１６と、制御部１７と、これらを接続する接続バス１８と、を備えている。
【００１７】
ＧＰＳ受信機１１は、アンテナ１２を介してＧＰＳ情報（位置情報および時刻情報を含む）を受信する。自立航法センサー１３は、角度センサーおよび距離センサーから成り（いずれも図示省略）、ＧＰＳ受信機１１との組合せにより、現在の自車位置を特定するために利用される。
【００１８】
ディスプレイ１４は、経路案内時のナビゲーション画面Ｇ（図３参照）や各種操作画面を表示する。タッチパネル１５は、ディスプレイ１４に重畳配置されたマトリクススイッチにより構成され、指等の接触を検出して、ユーザーによる各種操作を検出する。
【００１９】
通信部１６は、ネットワークＮＷを介して情報提供サーバー２との通信を行う。具体的には、通信部１６は、ネットワークＮＷに接続した無線基地局（図示省略）と無線通信可能に構成されており、無線基地局およびネットワークＮＷを介して、情報提供サーバー２との通信を行う。
【００２０】
制御部１７は、ＣＰＵ（Central  Processing  Unit）２１、ＲＯＭ（Read  Only  Memory）２２およびＲＡＭ（Random  Access  Memory）２３から成る。ＣＰＵ２１は、中央処理装置であり、各種演算処理を行う。ＲＯＭ２２は、ＣＰＵ２１が各種演算処理を行うための制御プログラムを記憶し、ＲＡＭ２３は、ＣＰＵ２１が各種演算処理を行う際のワークエリアとして用いられる。
【００２１】
次に図２を参照して、カーナビゲーション装置１および情報提供サーバー２の機能構成について説明する。図２に示すように、カーナビゲーション装置１は、主な機能構成として、自車位置取得手段３１と、目的地設定手段３２と、画面表示手段３３と、ボタン操作受付手段３４と、表示設定切替手段３５と、周辺情報表示手段（表示制御手段）３６と、を有している。
【００２２】
自車位置取得手段３１は、ＧＰＳ受信機１１および自立航法センサー１３を主要部とし、ＧＰＳ受信機１１により受信したＧＰＳ情報と、自立航法センサー１３の検出結果とに基づいて、現在の自車位置の情報を取得する。目的地設定手段３２は、制御部１７、ディスプレイ１４、タッチパネル１５を主要部とし、経路案内の目的地（最終目的地）を設定する。
【００２３】
画面表示手段３３は、ディスプレイ１４を主要部とし、経路案内を行うためのナビゲーション画面Ｇを表示する。図３に示すように、ナビゲーション画面Ｇは、画面の大部分を占める地図表示画面Ｇ１と、画面上部に配置されたランチャー画面Ｇ２と、を有している。すなわち、画面表示手段３３は、地図表示画面Ｇ１とランチャー画面Ｇ２とを同時に（一緒に）、すなわち同一画面上で表示する。
【００２４】
地図表示画面Ｇ１では、地図４１を表示する共に、上記経路案内画像４２を地図４１上に表示する。経路案内画像４２は、自車位置を示す自車アイコン４３と、目的地までの経路を示す経路画像４４とから成る。経路案内画像４２は、自車位置取得手段３１によって取得した現在の自車位置の情報と、目的地設定手段３２によって設定された目的地の情報とに基づいて、生成され配置されている。
【００２５】
ランチャー画面Ｇ２は、地図表示画面Ｇ１の地図４１上に、地図４１の表示エリア（表示地域）における各種周辺情報を表示するための操作画面であり、周辺情報の分類毎の「表示」／「非表示」を選択するための表示選択画面である。ランチャー画面Ｇ２には、周辺情報の各分類に対応した複数の分類ボタン５１が配置されている。当該各分類ボタン５１が、各分類を示すと共に、各分類の周辺情報の「表示」／「非表示」を切り替える表示切替ボタンとなっている。
【００２６】
周辺情報は、地図４１の表示エリアの中心地点に対する所定の周辺エリアの各種情報を示すものであり、本実施形態では、地図４１の表示エリア全体を、上記所定の周辺エリアとしている。周辺情報には、分類として、周辺渋滞情報（「渋滞」）、周辺天気情報（「ウェザー」）および周辺施設情報がある。周辺渋滞情報は、表示エリア（周辺エリア）の渋滞状況を示す情報であり、周辺天気情報は、表示エリアの天気を示す情報であり、周辺施設情報は、表示エリアの各種施設を示す情報である。また、周辺施設情報には、分類として、駐車場施設を示す駐車場施設情報（「駐車場」）、飲食施設を示す飲食施設情報（「グルメ」）、レジャー施設を示すレジャー施設情報（「レジャー」）等がある。ランチャー画面Ｇ２では、周辺施設情報の各分類と、周辺情報の、周辺施設情報を除く各分類とに対応した分類ボタン５１が配置されている。このように、本実施形態では、ユーザーによる利便性を考慮して、周辺施設情報の各分類と、周辺情報の、周辺施設情報を除く各分類とを同一階層として扱っている。以下、当該同一階層として扱っている、周辺施設情報の各分類と、周辺情報の、周辺施設情報を除く各分類とを、単に「周辺情報の分類」と呼称する。
【００２７】
ボタン操作受付手段３４は、タッチパネル１５を主要部とし、ランチャー画面Ｇ２上の各分類ボタン５１が押されたことを検出して、ユーザーによるボタン操作を受け付ける。表示設定切替手段３５は、ボタン操作受付手段３４の検出結果に基づいて、周辺情報の分類毎の表示設定を「表示」／「非表示」の間で切り替える。具体的には、対応する分類ボタン５１が押される都度、当該分類の表示設定を「表示」／「非表示」の間で交互に切り替える。
【００２８】
周辺情報表示手段３６は、通信部１６および制御部１７を主要部とし、画面表示手段３３を制御して、表示設定が「表示」に設定された分類の周辺情報を地図４１に重畳して表示させる。すなわち、ランチャー画面Ｇ２で「表示」が選択された分類の周辺情報を地図４１に重畳して表示させる。具体的には、周辺情報表示手段３６は、地図４１の表示エリアおよび上記分類を示す情報提供要求を情報提供サーバー２に送信して、情報提供サーバー２から、「表示」に設定された分類の周辺情報を取得し、これをレイヤー形式で、地図表示画面Ｇ１上の地図４１に重畳して表示させる。周辺情報表示手段３６は、情報提供サーバー２からリアルタイムで情報を取得することで、リアルタイムの周辺情報を表示させることができる。
【００２９】
例えば、図４（ｂ）に示すように、周辺渋滞情報（「渋滞」）が「表示」になっている場合（表示設定が「表示」に設定されている場合）には、周辺渋滞情報を地図４１に重畳して表示させる。また、図４（ｃ）に示すように、周辺天気情報（「ウェザー」）が「表示」になっている場合には、周辺天気情報を地図４１に重畳して表示させる。また、図４（ｄ）に示すように、周辺施設情報の飲食施設情報（「グルメ」）が「表示」になっている場合には、飲食施設情報を地図４１に重畳して表示させる。なお、複数の分類が「表示」になっている場合には、「表示」になっている全ての分類の周辺情報を、レイヤー状に重畳して表示させる。これにより、ユーザーは、分類ボタン５１を適宜操作することで、周辺情報の表示を、ユーザーの好きなようにカスタマイズすることができる。また、図４に示すように、表示設定が「表示」に設定されている分類については、その分類ボタン５１の表示を変化させることが好ましい。
【００３０】
図２に示すように、情報提供サーバー２は、主な機能構成として、周辺情報送信手段６１を有している。周辺情報送信手段６１は、周辺情報表示手段３６からの情報提供要求を受けて、当該情報提供要求に基づく表示エリアおよび分類の周辺情報をカーナビゲーション装置１に送信する。
【００３１】
ここで図５を参照して、分類ボタン５１の押下（タッチ）に伴う周辺情報の表示切替動作について説明する。本表示切替動作は、ユーザーが、いずれかの分類ボタン５１を押下し、ボタン操作受付手段３４が、当該押下を検出することに起因して実行される。
【００３２】
図５に示すように、カーナビゲーション装置１は、ボタン操作受付手段３４により、分類ボタン５１の押下を検出すると（Ｓ１：Ｙｅｓ）、表示設定切替手段３５により、押下された分類ボタン５１に対応する分類の表示設定を「表示」と「非表示」との間で切り替える（Ｓ２）。
【００３３】
表示設定を切り替えたら、周辺情報表示手段３６により、どの分類の表示設定が「表示」に設定されているかを参酌し、当該表示設定に基づいて、「表示」に設定されている分類の周辺情報を取得するための情報提供要求を、情報提供サーバー２に送信する（Ｓ３）。具体的には、地図４１の表示エリアおよび分類を示す情報提供要求を送信する。これに対し、情報提供サーバー２は、カーナビゲーション装置１からの情報提供要求を受信し（Ｓ４）、周辺情報送信手段６１により、情報提供要求に基づく表示エリアおよび分類の周辺情報をカーナビゲーション装置１に送信する（Ｓ５）。
【００３４】
これに対し、カーナビゲーション装置１は、情報提供サーバー２からの周辺情報を受信する（Ｓ６）。情報提供サーバー２からの周辺情報を受信したら、周辺情報表示手段３６により、画面表示手段３３を制御して、元から表示されている周辺情報を消去した後、受信した周辺情報を、地図表示画面Ｇ１上の地図４１に重畳して表示させる（Ｓ７）。これにより、本表示切替動作を終了する。
【００３５】
なお、ここでは、分類ボタン５１の押下に起因した表示切替動作について例示したが、地図表示画面Ｇ１における地図４１をスクロールし、地図４１の表示エリアが変化した場合にも、これに起因して、同様の表示切替動作（Ｓ３〜Ｓ７）を行う。すなわち、スクロール操作が検出された場合、地図４１をスクロール後のものに遷移させた後、スクロール後の表示エリアに対応する情報提供要求を情報提供サーバー２に送信して、当該表示エリアの周辺情報（「表示」になっている分類のもの）を取得する。そして、取得した周辺情報をスクロール後の地図４１に重畳して表示させる。
【００３６】
以上のような構成によれば、ランチャー画面Ｇ２において、所望の分類について分類ボタン５１を押して、「表示」を選択するだけで、当該分類の周辺情報が地図４１に重畳して表示されることができる。よって、所望の分類の周辺情報を、１タッチの簡単な操作で地図４１上に表示させることができる。また、別の条件（別の分類）で周辺情報を表示し直そうとしたときにも、分類ボタン５１を押すだけで良いため、操作が簡単である。さらに、複数の分類の周辺情報を同時に表示する場合にも、１分類に付き、１タッチの簡単な操作で行うことができる。よって、周辺情報の表示に係るカスタマイズを簡単な操作で行うことができる。
【００３７】
なお、上記実施形態において、カーナビゲーション装置１が、現在日時を取得する日時取得手段を更に備え、周辺情報表示手段３６により、取得した現在日時に合わせた周辺情報を表示させる構成であっても良い。例えば、現在日時と各施設の営業時間と照合して、周辺施設情報のうち現在日時に営業している施設のみを表示させる構成や、現在日時に営業している施設と営業していない施設とで見た目を変えて表示させる構成であっても良い。かかる構成によれば、現在日時を加味して周辺情報の表示を行うことができる。
【００３８】
また、上記実施形態において、ユーザーがランチャー画面Ｇ２自体の「表示」／「非表示」を設定するための画面表示設定手段を、更に備え、当該設定に従って、ランチャー画面Ｇ２自体の表示／非表示を制御する構成であっても良い。かかる構成によれば、ユーザビリティをより向上させることができる。
【００３９】
さらに、上記実施形態においては、地図４１の表示エリアの情報を、周辺情報としているが、地図４１の表示エリアの情報であり且つ自車位置を中心とした一定の距離範囲内のエリアの情報を、周辺情報としても良い。かかる場合、自車位置を中心とした一定の距離範囲内のエリアの情報のみが、地図４１に重畳して表示される構成になる。
【００４０】
なお、上記実施形態においては、周辺情報表示手段３６が、情報提供サーバー２から、各分類の周辺施設情報を取得する構成であったが、カーナビゲーション装置１に予め記憶した地図データから、各分類の周辺施設情報を取得する構成であっても良い。
【００４１】
また、上記実施形態においては、カーナビゲーション装置１に本発明を適用したが、ナビゲーション機能を有する携帯端末（スマートフォンや携帯電話、タブレットＰＣやＰＤＡ等）に本発明を適用しても良い。
【００４２】
さらに、上記実施形態に示したカーナビゲーション装置１における各構成要素や、上記実施形態に示したカーナビゲーション装置１の制御方法を、プログラムとして提供することが可能である。また、そのプログラムを記録媒体（図示省略）に格納して提供することも可能である。すなわち、コンピューターを、カーナビゲーション装置１の各構成要素として機能させるためのプログラム、およびそれを記録した記録媒体や、コンピューターに、カーナビゲーション装置１の制御方法を実行させるためのプログラム、およびそれを記録した記録媒体も、本発明の権利範囲に含まれるものである。
【符号の説明】
【００４３】
１：カーナビゲーション装置、  ３３：画面表示手段、  ３６：周辺情報表示手段、  ４１：地図、  ５１：分類ボタン、  Ｇ１：地図表示画面、  Ｇ２：ランチャー画面
【図１】
2016024112.tif 000003
【図２】
2016024112.tif 000004
【図３】
2016024112.tif 000005
【図４】
2016024112.tif 000006
【図５】
2016024112.tif 000007